(57)【要約】      （修正有）【課題】端子間ショートが防止され、作業工数が減少したプラズマディスプレイ装置を提供する。【解決手段】少なくとも一側のエッジに電極の端子部が引出されて配置されたプラズマディスプレイパネルと、プラズマディスプレイパネルの後方に配置されたシャーシベースと、前記シャーシベースの後方に配置され、前記プラズマディスプレイパネルを駆動させる回路基板と、前記プラズマディスプレイパネルに一端部が配置され、前記回路基板に他端部が配置されるものであって、端子部１３２ａには、これらと一対一に対応して重畳されるように導電線路１６１ａが形成された配線部１６１を含む連結部材１６０と、端子部１３２ａと導電線路１６１ａとの間に配置され、圧着されることによって、端子部１３２ａと導電線路１６１ａとを接続する少なくとも一つの導電性バンプ１８０と、を備えるプラズマディスプレイ装置。【選択図】図３
2006146209.tif 000002
【特許請求の範囲】
【請求項１】
少なくとも一側のエッジに電極の端子部が引出されて配置されたプラズマディスプレイパネルと、
前記プラズマディスプレイパネルの後方に配置されたシャーシベースと、
前記シャーシベースの後方に配置され、前記プラズマディスプレイパネルを駆動させる回路基板と、
前記プラズマディスプレイパネルに一端部が配置され、前記回路基板に他端部が配置され、前記端子部に一対一に対応して前記端子部と重畳されるように導電線路が形成された配線部を含む連結部材と、
前記端子部と前記導電線路との間に配置され、圧着されることによって、前記端子部と前記導電線路とを接続する少なくとも一つの導電性バンプと、を備えるプラズマディスプレイ装置。
【請求項２】
前記導電性バンプは、Ａｕを含む金属で形成されたことを特徴とする請求項１に記載のプラズマディスプレイ装置。
【請求項３】
前記連結部材は、フレキシブルプリントケーブルまたは前記フレキシブルプリントケーブルに少なくとも一つの素子が実装されたテープキャリアパッケージであることを特徴とする請求項１に記載のプラズマディスプレイ装置。
【請求項４】
前記端子部と重畳される連結部材の周辺領域は、保護部材によって覆われていることを特徴とする請求項１に記載のプラズマディスプレイ装置。
【請求項５】
前記保護部材は、樹脂で形成されたことを特徴とする請求項４に記載のプラズマディスプレイ装置。
【請求項６】
前記保護部材を形成する樹脂は、シリコン樹脂、紫外線硬化型樹脂から選択される何れか一つであることを特徴とする請求項５に記載のプラズマディスプレイ装置。
【請求項７】
前面基板と、前記前面基板の少なくとも一側のエッジに端子部がそれぞれ引出された維持電極と、前記前面基板と対向する背面基板と、前記維持電極と交差して形成され、前記背面基板の少なくとも一側のエッジに端子部が引出されたアドレス電極と、前記前面基板と前記背面基板との間に配置されて放電セルを画定する隔壁と、及び前記放電セル内に配置された蛍光体層と、が備えられたプラズマディスプレイパネルと、
前記端子部に対応するように配置され、前記端子部と一対一に対応して重畳されるように、導電線路の形成された配線部が備えられた連結部材と、
前記端子部と前記導電線路との間には、少なくとも一つが介在されて圧着されることによって、前記端子部と導電線路とを接続させる導電性バンプと、を備えるプラズマディスプレイ装置。
【請求項８】
前記維持電極と前記アドレス電極は、前面誘電体層と背面誘電体層とによって、それぞれ覆われていることを特徴とする請求項７に記載のプラズマディスプレイ装置。
【請求項９】
前記維持電極は、対をなして前記放電セルごとに配置され、対をなす前記維持電極のうち何れか一つは、共通電極として作用し、他の一つは、スキャン電極として作用することを特徴とする請求項８に記載のプラズマディスプレイ装置。
【発明の詳細な説明】
【技術分野】
【０００１】
本発明は、プラズマディスプレイ装置に関し、さらに詳細には、プラズマディスプレイパネル（ＰＤＰ：Ｐｌａｓｍａ  Ｄｉｓｐｌａｙ  Ｐａｎｅｌ）に備えられた電極の端子部と連結部材との接続構造が改善されたプラズマディスプレイ装置に関する。
【背景技術】
【０００２】
プラズマディスプレイ装置は、ガス放電現象を利用して画像を表示する平板ディスプレイであって、表示容量、輝度、コントラスト、残像、及び視野角などの各種の表示能力に優れた特性を有する。また、薄型であり、大画面の表示が可能で、陰極線管に替わることができる次世代平板ディスプレイとして注目を浴びている。
【０００３】
通常、このようなプラズマディスプレイ装置は、ＰＤＰ（プラズマディスプレイパネル）と、前記ＰＤＰの後方に平行に配置されるシャーシベースと、前記シャーシベースの後方に装着されてＰＤＰを駆動させる回路基板と、これらを収容するケースと、を含んで構成される。
【０００４】
前記ＰＤＰは、密閉された空間に設置された電極間にガスが充填された状態で、電極に所定の電圧を印加してグロー放電を起こし、放電時に発生する紫外線によって、所定パターンで形成された蛍光体層を励起させて画像を形成させる。
【０００５】
前記のように、ＰＤＰに設置された電極には、電圧が印加されるように端子部を備え、この端子部は、ＰＤＰの少なくとも一側のエッジに引出されて配置され、引出された端子部は、回路基板と接続されたフレキシブルプリントケーブル（Ｆｌｅｘｉｂｌｅ  Ｐｒｉｎｔｅｄ  Ｃａｂｌｅ：ＦＰＣ）のような連結部材と接続される。
【０００６】
さらに詳細には、前記連結部材には、端子部と一対一に対応して重畳されるように、導電線路が形成された配線部がそれぞれ備えられ、前記配線部の導電線路と端子部との間は、Ｎｉ粒子にＡｕメッキした導電性ボールが均一に分布された異方性導電フィルムによって接続される。すなわち、前記異方性導電フィルムは、導電線路と端子部との間に介在され、加熱圧着器具によって加熱及び加圧されることによって圧着され、端子部と導電線路との間が接続される。
【０００７】
しかし、異方性導電フィルムが加熱及び加圧されるにつれて、異方性導電フィルムに含まれた導電性ボールが均一に分布できず、局部的に固まる現象が生じる。このような、隣接する端子部との間に導電性ボールが固まった状態で位置してしまうと、端子部間でショートが起こるので、これに対する解決策が必要となる。
【発明の開示】
【発明が解決しようとする課題】
【０００８】
本発明の目的は、電極の端子部と連結部材との接続構造を改善することによって、ショートが防止され、作業工数が減少するプラズマディスプレイ装置を提供することである。
【課題を解決するための手段】
【０００９】
前記目的を達成するための本発明によるプラズマディスプレイ装置は、少なくとも一側のエッジに電極の端子部が引出されて配置されたＰＤＰと、前記ＰＤＰの後方に配置されたシャーシベースと、前記シャーシベースの後方に配置され、前記ＰＤＰを駆動させる回路基板と、前記ＰＤＰに一端部が配置され、前記回路基板に他端部が配置され、前記端子部に一対一に対応して前記端子部と重畳されるように、導電線路の形成された配線部を含む連結部材と、前記端子部と前記導電線路との間に配置され、圧着されることによって前記端子部と前記導電線路とを接続する少なくとも一つの導電性バンプと、を備える。
【００１０】
本発明によるプラズマディスプレイ装置は、前面基板と、前記前面基板の少なくとも一側のエッジに端子部がそれぞれ引出された維持電極と、前記前面基板と対向する背面基板と、前記維持電極と交差して形成され、前記背面基板の少なくとも一側のエッジに端子部がそれぞれ引出されたアドレス電極と、前記前面基板と背面基板との間に配置されて放電セルを画定する隔壁と、前記放電セル内に配置された蛍光体層と、が備えられたＰＤＰと、前記端子部に対応して配置され、前記端子部と一対一に対応して前記端子部と重畳されるように、前記導電線路の形成される配線部を含む連結部材と、前記端子部と前記導電線路との間に配置され、圧着されることによって前記端子部と前記導電線路とを接続する少なくとも一つの導電性バンプと、を備える。
【発明の効果】
【００１１】
本発明によれば、連結部材の導電線路と端子部とを導電性バンプで接続させるによって、従来の異方性導電フィルムの使用による端子部または導電線路間に発生するショートが防止される。さらに、異方性導電フィルムの付着工程が省略されて作業時間が短縮される。
【発明を実施するための最良の形態】
【００１２】
以下、本発明の一実施形態を添付された図面に基づいて詳細に説明する。
【００１３】
図１は、本発明の一実施形態によるプラズマディスプレイ装置についての分離斜視図である。
【００１４】
図に示すように、本発明の一実施形態によるプラズマディスプレイ装置１００には、画像が表示されるＰＤＰ１１０が備えられている。
【００１５】
ＰＤＰ１１０の後方には、シャーシベース１４０が配置されているが、シャーシベース１４０は、アルミニウムのような素材で形成され、ＰＤＰ１１０と平行に配置されて支持する一方、ＰＤＰ１１０から発生した熱を外部に放出させる。シャーシベース１４０は、曲げや撓み変形が防止されるように、エッジには、後方に折り曲げられたベンディング部１４１が備えられる。
【００１６】
このようなシャーシベース１４０は、両面テープのような接着部材１４２によってＰＤＰ１１０と結合され、シャーシベース１４０とＰＤＰ１１０との間には、放熱部材１４３が介在されることによって、ＰＤＰ１１０から発生した熱が放熱部材１４３によって外部に放出される。
【００１７】
そして、シャーシベース１４０の後方には、回路基板１５０が設置されており、この回路基板１５０によって、ＰＤＰ１１０を駆動させる。回路基板１５０には、各種の電子部品が多数含まれている。このような回路基板１５０は、ＰＤＰ１１０とシャーシベース１４０と共にケース（図示せず）に収容されることによって、プラズマディスプレイ装置１００を構成する。
【００１８】
回路基板１５０は、連結部材１６０によって、ＰＤＰ１１０と電気的に連結されて信号を伝達する。連結部材１６０としては、ＦＰＣやＦＰＣに少なくとも一つの素子が実装されたＴＣＰ（Ｔａｐｅ  Ｃａｒｒｉｅｒ  Ｐａｃｋａｇｅ）が採用される。
【００１９】
本実施形態によれば、シャーシベース１４０の左側及び右側に配置されて回路基板１５０と接続された連結部材は、ＦＰＣ１６５が採用されており、シャーシベース１４０の上側及び下側に配置されて回路基板１５０と接続された連結部材は、ＴＣＰ１６６が採用されている。
【００２０】
ＴＣＰ１６６は、互いに離隔されており、シャーシベース１４０の上側及び下側のエッジを経由して、それぞれの一端部は、ＰＤＰ１１０に備えられたアドレシング機能を有するアドレス電極１３２（図２参照）に連結され、それぞれの他端部は、回路基板１５０のアドレス電極１３２を駆動させる駆動部と連結される。そして、ＴＣＰ１６６には、ＦＰＣ１６７にアドレス駆動ＩＣ（Ｉｎｔｅｇｒａｔｅｄ  Ｃｉｒｃｕｉｔ）のような素子１６８が、それぞれ少なくとも１個ずつ実装されているので、素子１６８は、シャーシベース１４０の後方のエッジに隣接して配置されている。
【００２１】
このように配置された素子１６８は、補強部材１７０によって支持される。補強部材１７０は、シャーシベース１４０とＴＣＰ１６６との間に配置され、素子１６８と補強部材１７０とを対応させて補強部材１７０の背面を横切るようにＴＣＰ１６６が掛けられる。このような補強部材１７０は、金属素材から形成され、シャーシベース１４０の背面に結合されることによって、シャーシベース１４０の曲げや撓みによる変形を防止し、さらに、シャーシベース１４０からの熱を放出する面積を拡大するため、放熱効率を高める役割も果たす。
【００２２】
連結部材１６０によって、回路基板１５０と電気的に連結されるＰＤＰ１１０としては、様々な種類のＰＤＰに採用することができるが、一例として、面放電型３電極構造を有する交流型ＰＤＰの採用例を図２に示す。
【００２３】
図２に示されたＰＤＰ１１０は、前面パネル１２０と、前面パネル１２０と対向して結合される背面パネル１３０と、を含んで構成されている。
【００２４】
前記前面パネル１２０には、前方に配置された前面基板１２１と、前面基板１２１の背面に形成され、Ｘ電極１２３及びＹ電極１２４からなる維持電極対１２２と、維持電極対１２２を覆うように形成された前面誘電体層１２５と、前面誘電体層１２５の背面に形成された保護膜１２６と、が備えられている。ここで、維持電極対１２２を構成するＸ電極１２３及びＹ電極１２４は、相互間に放電ギャップで離隔されて、それぞれ共通電極及びスキャン電極として作用する。そして、Ｘ電極１２３は、Ｘ透明電極１２３ａとこのＸ透明電極１２３ａに接続して形成されたＸバス電極１２３ｂと、を備えており、これと同様に、Ｙ電極１２４もＹ透明電極１２４ａとＹ透明電極１２４ａに接続して形成されたＹバス電極１２４ｂと、を備えている。
【００２５】
前面パネル１２０と結合される背面パネル１３０には、後方に配置された背面基板１３１と、背面基板１３１の前面に形成され、維持電極対１２２と交差する方向に延びたアドレス電極１３２と、アドレス電極１３２を覆うように形成された背面誘電体層１３３と、背面誘電体層１３３の前面に形成されて放電セル１３５を画定するマトリックス状の隔壁１３４と、放電セル１３５内に配置された蛍光体層１３６と、が備えられている。ここで、放電セル１３５には、維持電極対１２２とアドレス電極１３２とが交差する領域がそれぞれ対応し、放電セル１３５には、放電ガスが充填される。
【００２６】
前記のように、ＰＤＰ１１０に備えられたＸ電極１２３及びＹ電極１２４は、基板１２１の少なくとも一側のエッジに一端部がそれぞれ引出されて配置され、アドレス電極１３２は、背面基板１３１の少なくとも一側のエッジに一端部が引出されて配置される。このように、前面基板１２１及び背面基板１３１のエッジに引出された電極１２３，１２４，１３２の一端部は、端子部を形成し、この端子部と回路基板１５０が連結部材１６０によって配置されて接続される。そして、回路基板１５０によって、電極１２３，１２４，１３２に電圧がそれぞれ印加される。
【００２７】
図３を参照して具体的に説明すれば、次の通りである。
【００２８】
図３には、基板のエッジに引出された端子部に、連結部材が接続される前の状態が示されている。ここで、図に示された基板は、前面基板または背面基板に該当し、端子部は、Ｘ電極、Ｙ電極及び、アドレス電極のうち何れか一つに備えられた端子部に該当する。以下では、背面基板の一側のエッジにアドレス電極の端子部が引出されて配置された例を中心に説明する。
【００２９】
図に示すように、アドレス電極１３２の一端部には、端子部１３２ａがそれぞれ備えられており、端子部１３２ａは、背面基板１３１の一側エッジに引出されて所定間隔で配列されている。このように配列された端子部１３２ａに対応するように連結部材１６０が配置される。
【００３０】
連結部材１６０には、導電線路１６１ａが形成された配線部１６１が備えられているので、配線部１６１の導電線路１６１ａは、端子部１３２ａと一対一に対応し、少なくとも一部の領域で重畳されるように、端子部１３２ａ間のピッチと同じピッチを有するように形成されている。
【００３１】
そして、前記のように、少なくとも一部の領域で端子部１３２ａと一対一に対応して重畳される導電線路１６１ａには、端子部１３２ａとの接続のために、導電性バンプ１８０が少なくとも一つ以上備えられている。導電性バンプ１８０は、導電性に優れるＡｕのような金属で形成され、導電線路１６１ａからそれぞれ半球形に突出するように形成されることが望ましい。これは、導電性バンプ１８０がそれぞれ形成された導電線路１６１ａと端子部１３２ａとの間が一対一に対応して重畳された状態で、加熱圧着器具によって、導電線路１６１ａと端子部１３２ａとの間を加熱及び加圧すれば、図４に示したように、導電性バンプ１８０が圧着されて端子部１３２ａ内に容易に浸透させるようにするためである。このように、導電線路１６１ａと端子部１３２ａとの間で圧着される導電性バンプ１８０は、圧着後に、隣接した端子部１３２ａや導電線路１６１ａに接触しない程度のサイズに形成されることが望ましい。一方、導電性バンプ１８０は、導電線路と端子部との間に介在されて導電線路と端子部との間を接続させれば良いので、導電線路上に限定されず、端子部上に形成されることも可能である。
【００３２】
前記のように、導電線路１６１ａ上にそれぞれ形成された導電性バンプ１８０が圧着されて端子部１３２ａ内にそれぞれ浸透することによって、導電線路１６１ａと端子部１３２ａとが接続される。このような構造をとることにより、従来のようなＮｉ粒子にＡｕメッキをした導電性ボールが均一に分布された異方性導電フィルムの使用による端子部間のショートが防止される。すなわち、異方性導電フィルムが導電線路と端子部との間で加熱及び加圧されるにつれて、異方性導電フィルムに含まれた導電性ボールが均一に分布できず、局部的に固まり、この固まった導電性ボールが端子部間に位置してしまうことによって生じる端子部間のショートが防止され、さらに、異方性導電フィルムの付着工程が省略され、作業時間が短縮される。
【００３３】
一方、図４に示すように、端子部１３２ａと重畳される連結部材１６０の周辺領域は、保護部材１９０によって覆われるが、保護部材１９０は、水分のような不純物が端子部１３２ａと導電線路１６１ａとの重畳された部位に浸透することを防止する。保護部材１９０は、シリコン樹脂や、エポキシアクリレート系樹脂のような紫外線硬化型樹脂で形成される。このような保護部材１９０は、図に示すように、端子部１３２ａの露出された部位を完全に覆うようにして、配置されることが望ましい。
【００３４】
本発明は、添付された図面に示された一実施形態を参考として説明したが、これは、例示的なものに過ぎず、当業者ならば、これから多様な変形及び均等な他の実施形態が可能であることが分かる。したがって、本発明の真の保護範囲は、特許請求の範囲によって決定されねばならない。
【産業上の利用可能性】
【００３５】
本発明は、電極の端子部と連結部材との接続において、ショートが防止して作業工数が減少するプラズマディスプレイ装置に関連した技術分野に適用可能である。
【図面の簡単な説明】
【００３６】
【図１】本発明の一実施形態によるプラズマディスプレイ装置を示す分離斜視図である。
【図２】図１に示したＰＤＰの一例を一部示す部分斜視図である。
【図３】図１に示した電極の端子部に連結部材が結合される前の状態を示す分離斜視図である。
【図４】図３において、電極の端子部に連結部材が結合され、保護部材によって覆われている状態を示す断面図である。
【符号の説明】
【００３７】
１３１    背面基板
１３２    アドレス電極
１３２ａ    端子部
１６０    連結部材
１６１    配線部
１６１ａ    導電線路
１８０    導電性バンプ
【図１】
2006146209.tif 000003
【図２】
2006146209.tif 000004
【図３】
2006146209.tif 000005
【図４】
2006146209.tif 000006